(57)【特許請求の範囲】
【請求項１】
屋根を補修するための屋根補修シートであって、
屋根の上面を被覆するためのシート本体と、
前記シート本体に設けられ、内部に液体を封入可能で、前記シート本体の重しとして機能する１つ又は複数の液体重し部とを備え、
前記液体重し部は、細長い形状の容器であり、前記シート本体に設けられた筒状部の内側に装着され、
前記液体重し部１つに対し、一端及び他端が開放された１つ又は複数の筒状部が設けられ、
前記液体重し部では、一端側に液体の注入口が設けられ、他端側に液体の排出口が設けられ、
前記液体重し部は、両端部が前記筒状部から外側に出る状態で装着される、屋根補修シート。
【請求項２】
屋根を補修するための屋根補修シートであって、
屋根の上面を被覆するためのシート本体と、
前記シート本体に設けられ、内部に液体を封入可能で、前記シート本体の重しとして機能する１つ又は複数の液体重し部とを備え、
前記液体重し部は、細長い形状の容器であり、前記シート本体に設けられた筒状部の内側に装着され、
前記液体重し部１つに対し、一端及び他端が開放された１つ又は複数の筒状部が設けられ、
前記液体重し部では、一端側に液体の注入口が設けられ、他端側に液体の排出口が設けられ、
前記液体重し部は、前記注入口及び前記排出口が前記筒状部から外側に出る状態で装着される、屋根補修シート。
【請求項３】
前記液体重し部には、柔軟な素材により構成された容器が用いられる、請求項１又は２に記載の屋根補修シート。
【請求項４】
前記液体重し部は、細長い形状の容器であり、前記シート本体において屋根の傾斜方向に沿って配置されている、請求項１乃至３の何れか１つに記載の屋根補修シート。
【請求項５】
前記液体重し部の一端部には、リング部材が設けられ、
前記リング部材に着脱自在の取付リングに取り付けられて、前記筒状部に前記液体重し部を通す際に使用する紐状部材が設けられている、請求項１乃至４の何れか１つに記載の屋根補修シート。
【請求項６】
前記紐状部材は、人が引っ張る部分が、前記筒状部の一端から入れて、該筒状部の他端から出るだけの長さを有する、請求項５に記載の屋根補修シート。
【請求項７】
前記シート本体には、裏側から作用する風力を低減させるための開口部が形成され、
前記開口部を被覆する被覆シートが、屋根の傾斜方向において下側を向く隙間であって前記シート本体との間に風を通過させる隙間が形成されるように、該隙間以外の外周部が固定手段により前記シート本体に固定されている、請求項１乃至６の何れか１つに記載の屋根補修シート。
【発明の詳細な説明】
【技術分野】
【０００１】
本発明は、屋根を補修するための屋根補修シートに関する。
【背景技術】
【０００２】
従来から、台風等の災害により屋根が損傷した場合に、ブルーシートと呼ばれるビニールシートを屋根の補修に用いている。ビニールシートは、風で吹き飛ばされないように、土嚢を用いて屋根に固定される。
【０００３】
また、特許文献１には、ハウス構造物の屋根や外壁等の外装材の修繕に用いられる補修用シートが記載されている。
【先行技術文献】
【特許文献】
【０００４】
【特許文献１】特開平１０−５８６１７号公報
【発明の概要】
【発明が解決しようとする課題】
【０００５】
ところで、上述のビニールシートを用いた屋根の補修作業では、屋根の上に土嚢を運ぶ労力が必要となる。補修の面積が大きい場合には、必要となる土嚢の数が増え、それに伴って労力は大きくなる。
【０００６】
本発明は、このような事情に鑑みてなされたものであり、屋根の補修作業の労力を軽減させることができる屋根補修シートを提供することを目的とする。
【課題を解決するための手段】
【０００７】
上述の課題を解決するべく、第１の発明は、屋根を補修するための屋根補修シートであって、屋根の上面を被覆するためのシート本体と、シート本体に設けられ、内部に液体を封入可能で、シート本体の重しとして機能する１つ又は複数の液体重し部とを備えている、屋根補修シートである。
【０００８】
第２の発明は、第１の発明において、液体重し部は、細長い形状の容器であり、シート本体に設けられた筒状部の内側に装着される。
【０００９】
第３の発明は、第１又は２の発明において、柔軟な素材により構成された容器が用いられる。
【００１０】
第４の発明は、第１乃至３の何れか１つの発明において、細長い形状の容器であり、シート本体において屋根の斜面方向に対応する方向に沿って配置されている。
【００１１】
第５の発明は、第２の発明において、シート本体には、液体重し部を支持するための支持部が設けられ、支持部には、筒状部に液体重し部を通す際に使用する紐状部材が設けられている。
【００１２】
第６の発明は、第１乃至５の何れか１つの発明において、シート本体には、裏側から作用する風力を低減させるための開口部が形成されている。
【００１３】
第７の発明は、第６の発明において、開口部を被覆する被覆シートが、シート本体との間に風を通過させる隙間が形成されるようにシート本体に固定されている。
【発明の効果】
【００１４】
本発明では、屋根の上面を被覆するシート本体に、内部に液体を封入可能な液体重し部が設けられている。そのため、屋根補修シートを屋根に設置した後に、液体重し部に液体を供給して封入することで、液体重し部が、シート本体の重しとして機能する。従って、従来とは異なりシート本体の固定に土嚢を用いる必要がない。本発明によれば、屋根の補修作業の労力を軽減することができる。
【図面の簡単な説明】
【００１５】
【図１】図１は、実施形態に係る屋根補修シートを屋根に設置した状態を模式的に表した斜視図である。
【図２】図２は、実施形態に係る屋根補修シートの平面図である。
【図３】図３（ａ）は、図２のＡ−Ａ断面図（筒状部の断面図）であり、図３（ｂ）は、図２のＢ−Ｂ断面図（ホース部材の断面図）である。
【図４】図４は、実施形態の変形例１に係る屋根補修シートの平面図である。
【図５】図５は、実施形態の変形例１に係る屋根補修シートの液体重し部の説明図であり、図５（ａ）は平面図であり、図５（ｂ）は排出口周辺の断面図である。
【図６】図６は、実施形態の変形例２に係る屋根補修シートの平面図である。
【図７】図７は、実施形態の変形例２に係る屋根補修シートについて、紐状部材を用いて液体重し部を第１筒状部に装着する作業方法の説明図である。
【図８】図８は、その他の実施形態に係るシート本体の頂部被覆部の断面図である。
【図９】図９は、その他の実施形態に係る屋根補修シートの平面図である。
【図１０】図１０は、その他の実施形態に係る屋根補修シートの説明図であり、図１０（ａ）は平面図であり、図１０（ｂ）は屋根に設置した状態の斜視図である。
【発明を実施するための形態】
【００１６】
以下、本発明の実施形態を詳細に説明する。なお、以下の実施形態は、本発明の一例であって、本発明、その適用物、あるいはその用途の範囲を制限することを意図するものではない。
【００１７】
［１．屋根補修シートの構成］
本実施形態は、台風などの災害により損傷した屋根５の補修に用いる屋根補修シート１０である。屋根補修シート１０は、少なくとも屋根５の損傷箇所を被覆することで、災害後の雨漏りを防ぐ。屋根補修シート１０は、図１に示すように、屋根５を被覆するように、その屋根５を有する家屋に、紐状部材６（紐又はロープなど）により固定される。
【００１８】
具体的に、屋根補修シート１０は、図２に示すように、屋根５の上面を被覆するためのシート本体１２と、シート本体１２に取り付けられた複数の液体重し部１４，１８とを備えている。各液体重し部１４，１８は、内部に液体（水など）を封入可能な容器（例えば、プラスチックの容器、ホースのような柔軟な素材を用いた細長い袋状の容器）であり、シート本体１２の重しとして機能する。本実施形態では、液体重し部１４，１８として、第１液体重し部１４と、第２液体重し部１８が設けられている。
【００１９】
なお、図１では、液体重し部１４，１８を太線で簡略的に表しているが、実際には、図１のように斜めから見た場合、液体重し部１４，１８は、シート本体１２から上側に膨出する形状を呈する。また、以下では、図２における横方向を「シート長さ方向」と言い、縦方向を「シート幅方向」と言う。シート長さ方向は、屋根の傾斜方向に対応している。
【００２０】
屋根補修シート１０の各構成要素について詳細に説明を行う。シート本体１２は、水を透過しない素材により構成されたシート（例えば、ビニールシート）である。シート本体１２は、屋根５の上面のうち、台風など災害による損傷箇所（例えば、瓦が飛ばされた箇所）を被覆できるだけの面積を少なくとも有する。シート本体１２の形状は、図２では長方形であるが、特にこの形状に限定されず、他の形状であってもよい。
【００２１】
図２におけるシート本体１２では、シート長さ方向の中央部が、屋根５の頂部を被覆する頂部被覆部１２ａとなる。頂部被覆部１２ａは、シート幅方向に細長い長方形状の部位である。そして、頂部被覆部１２ａの各長辺から、屋根５の斜面を被覆する各斜面被覆部１２ｂが、シート長さ方向に沿って外側に延びている。各斜面被覆部１２ｂにおける角部などには、屋根５に固定するための紐状部材６を取り付けるための取付部として、複数の貫通孔１２ｃが形成されている。図２、図４、図６では各貫通孔１２ｃの形成箇所を黒塗りしている。
【００２２】
また、シート本体１２には、第１液体重し部１４を取り付けるための取付部として、複数の筒状部１２ｄが設けられている。例えば、複数の筒状部１２ｄは、シート長さ方向において間隔を空けて、ほぼ等間隔に配置されている。具体的に、シート本体１２では、頂部被覆部１２ａと、各斜面被覆部１２ｂとにそれぞれ、筒状部１２ｄが形成されている。各筒状部１２ｄは、細長い筒状に形成され、シート幅方向に沿って延びている。頂部被覆部１２ａでは、シート長さ方向の中央部に筒状部１２ｄが配置されている。各斜面被覆部１２ｂでは、シート長さ方向の外側端部（頂部被覆部１２ａから離れた方の端部）に、筒状部１２ｄが配置されている。
【００２３】
各筒状部１２ｄは、例えば、図３に示すように、細長い外側シート１６の各長辺部分を、固定手段１９によりシート本体１２に固定することにより形成されている。外側シート１６は、その内側に第１液体重し部１４の収容空間を確保できるように、外側に膨らむように弛ませた状態でシート本体１２に固定される。なお、固定手段１９は、特に限定されず、縫い付け、金具、又は接着剤などを用いることができる。
【００２４】
各第１液体重し部１４は、両端が閉塞された、細長い筒状の容器である。各第１液体重し部１４には、重量が軽い素材（プラスチックなど）を用いることができる。本実施形態では、第１液体重し部１４に、ホースのような柔軟な素材の容器を用いるが、第１液体重し部１４に硬質プラスチックを採用することで、鳥の嘴につつかれても水漏れが生じにくくすることもできる。各第１液体重し部１４は、筒状部１２ｄの内面に密着するように、筒状部１２ｄ内に着脱自在に収容される。なお、筒状部１２ｄに対し第１液体重し部１４を密着させることで、筒状部１２ｄに第１液体重し部１４をある程度固定できるが、さらに何らかの固定手段を用いて固定してもよい。
【００２５】
各第１液体重し部１４の一端側には、図２の拡大図に示すように、液体を導入するための注入口１４ａが設けられている。注入口１４ａは、キャップなどの栓部材（図示省略）が着脱自在である。各第１液体重し部１４は、その注入口１４ａが、同じ側（図２では下側）を向くように筒状部１２ｄに収容される。なお、図２において、シート本体１２の右下部分と左下部分の拡大図は記載していないが、注入口１４ａについては、中央の下側部分と同じ構造である。また、拡大図では、筒状部１２ｄの記載を省略している。
【００２６】
シート本体１２には、第１液体重し部１４に直交する一辺に沿って、第２液体重し部１８が設けられている。図２では下側（注入口１４ａ側）の辺に沿って、第２液体重し部１８が設けられている。第２液体重し部１８は、両端が閉塞された、細長い筒状の容器（例えば太さが８ｃｍ程度の容器）である。第２液体重し部１８は、第１液体重し部１４の延伸方向に直交しており、シート本体１２において屋根５の斜面方向に対応する方向に沿って配置されている。第２液体重し部１８には、重量が軽い素材を用いることができる。なお、本実施形態では、第２液体重し部１８に、ホースのような柔軟な素材の容器を用いる。また、本実施形態では、斜面被覆部１２ｂごとに第２液体重し部１８が設けられているが、２つの斜面被覆部１２ｂにまたがるように１本の第２液体重し部１８を用いてもよい。また、第１液体重し部１４に直交する２辺のそれぞれに、第２液体重し部１８を設けてもよい。
【００２７】
第２液体重し部１８は、複数の帯状部材２０によりシート本体１２の外面に着脱自在に装着されている。例えば、各帯状部材２０の両端部は、面ファスナーなどの固定手段によりシート本体１２に固定されている。第２液体重し部１８には、水道栓から延びるホースなどを着脱自在に接続可能な注入口１８ａが設けられている。注入口１８ａも、注入口１４ａと同様に、キャップなどの栓部材（図示省略）が着脱自在である。
【００２８】
［２．屋根補修シートの設置方法］
屋根補修シート１０の設置方法について説明を行う。屋根補修シート１０は、損傷した屋根５がある現場に搬入される。そして、その現場で、屋根補修シート１０の各筒状部１２ｄに対し、第１液体重し部１４が取り付けられ、複数の帯状部材２０により各第２液体重し部１８も取り付けられる。以上の作業により、屋根補修シート１０の設置準備が完了する。
【００２９】
次に、屋根補修シート１０は、図１に示すように、屋根５を覆うように設置される。この時、頂部被覆部１２ａが屋根５の頂部を被覆し、各斜面被覆部１２ｂが屋根５の斜面を被覆するように、屋根補修シート１０は配置される。
【００３０】
次に、各第１液体重し部１４の注入口１４ａに、水道栓から延びるホースを接続して、水道栓から第１液体重し部１４に水を供給する。水の供給は、第１液体重し部１４が満水になった状態で停止する。そして、注入口１４ａからホースを取り外し、栓部材により注入口１４ａを閉鎖する。また、各第２液体重し部１８の注入口１８ａにも、水道栓から延びるホースを接続して、水道栓から第２液体重し部１８に水を供給する。水の供給は、第２液体重し部１８が満水になった状態で停止する。そして、注入口１８ａからホースを取り外し、栓部材により注入口１４ａを閉鎖する。
【００３１】
以上の作業により、各第１液体重し部１４及び第２液体重し部１８は、水が漏れることなく封入され、シート本体１２の重しとして機能する。
【００３２】
［３．実施形態の効果］
本実施形態によれば、従来とは異なりシート本体１２の固定に土嚢を用いる必要がなく、ホースを接続して水を供給するだけで、シート本体１２の重しを準備することができる。そのため、屋根５の補修作業の労力を軽減することができる。
【００３３】
また、本実施形態では、各液体重し部１４、１８が互いに独立しているため、各液体重し部１４、１８の何れかに水漏れが生じたとしても、他の液体重し部１４、１８の影響を与えることなく、水漏れの影響を最小限に留めることができる。また、各液体重し部１４、１８をホース等で互いに接続する場合に比べて、各液体重し部１４，１８に対しスムーズに水を供給することができる。
【００３４】
［４．実施形態の変形例１］
本変形例は、図４に示す屋根補修シート１０である。屋根補修シート１０は、シート長さ方向の中心線Ｘを境に２つの斜面被覆部１２ｂが設けられている。図４は、屋根補修シート１０のうち片方の斜面被覆部１２ｂを中心に記載している。
【００３５】
各斜面被覆部１２ｂには、シート長さ方向（屋根５の傾斜方向に対応する方向）に沿って延びる第１筒状部２２ａと、シート幅方向に沿って延びる第２筒状部２２ｂとが設けられている。第１筒状部２２ａは、第２筒状部２２ｂに比べて短い。各筒状部２２ａ，２２ｂは、上述の実施形態の筒状部１２ｄと同様に、細長い外側シート１６の各長辺部分を、固定手段１９（縫い付け、金具、又は接着剤など）によりシート本体１２の外面（表側面）に固定することにより形成されている。図４では、固定手段１９としての縫付部分を破線で表し、後述の開口部１２ｅの外周を点線で表している。
【００３６】
各斜面被覆部１２ｂでは、その外周に沿って、第１筒状部２２ａ及び第２筒状部２２ｂが配置されている。また、各斜面被覆部１２ｂでは、シート幅方向における中央部に、第１筒状部２２ａが配置されている。これにより、各斜面被覆部１２ｂでは、第１筒状部２２ａ及び第２筒状部２２ｂに囲まれた領域が２つ形成されている。各領域の中央部には、開口部１２ｅが形成されている。開口部１２ｅは、シート本体１２に対し裏側から作用する風力を低減させるために設けている。図４では、開口部１２ｅの形成箇所にハッチングを付けている。
【００３７】
各開口部１２ｅは、開口部１２ｅよりも大きな被覆シート２６により被覆されている。各被覆シート２６は、固定手段２９（縫い付け、金具、又は接着剤など）によりシート本体１２の外面に固定されている。各被覆シート２６は、シート本体１２との間に風を通過させる隙間が形成されるようにシート本体１２に固定されている。本変形例では、風を通過させる隙間が、シート長さ方向の外側（図４では上側）に形成されている。屋根補修シート１０を設置した状態では、シート本体１２と被覆シート２６の隙間は、屋根５の斜面方向において下側を向く。本変形例では、開口部１２ｅの裏側からの風を通過させつつ、雨が降った場合に開口部１２ｅに雨水が到達することを防ぐことができる。
【００３８】
なお、本変形例では、２つの開口部１２ｅを形成したが、開口部１２ｅの個数は、１つでもよいし、３つ以上であってもよい。また、開口部１２ｅは、斜面被覆部１２ｂのシート長さ方向の中央部に形成したが、屋根補修シート１０の裏側において屋根５との間に侵入する風が開口部１２ｅに到達しやすいように、屋根補修シート１０の外周寄りの位置に開口部１２ｅを形成してもよい。
【００３９】
また、本変形例には、図５（ａ）に示す構造の液体重し部１４が、第１筒状部２２ａ及び第２筒状部２２ｂの各々に装着される。液体重し部１４は、ビニールなどの樹脂シート１４ｃにより形成された、柔軟で扁平な容器（水を入れていない状態で扁平）である。液体重し部１４では、一端側の側部に注入口１４ａが設けられ、他端側の表側シート１４ｃに排出口１４ｂが設けられている。注入口１４ａには、手動の開閉バルブが設けられている。排出口１４ｂは、表側シート１４ｃの穴に対し装着された、キャップ２５付きの筒状体２７である。筒状体２７の折り返し部に、Ｏリングなどのシール部材２８が設けられている。また、液体重し部１４の各端部には、リング部材１４ｅが設けれたシート状端部１４ｄが設けられている。なお、図４では、注入口１４ａ及び排出口１４ｂの記載を省略するとともに、液体重し部１４を薄く着色している。
【００４０】
本変形例では、液体重し部１４として扁平な容器を用いているため、液体重し部１４を装着した状態のシート本体１２を折り畳むことが可能である。そのため、液体重し部１４を予めシート本体１２に装着したとしても、屋根補修シート１０の搬入が容易である。
【００４１】
［５．実施形態の変形例２］
本変形例では、変形例１に記載の液体重し部１４を、第１筒状部２２ａに挿通させる際に使用する紐状部材３１（紐又はロープなど）が設けられている。なお、本変形例では、第２筒状部２２ｂに対し紐状部材３１を設けていないが、第２筒状部２２ｂに対しても紐状部材３１を設けてもよい。
【００４２】
図６に示すように、紐状部材３１の一端には、取付リング３２が取り付けられている。取付リング３２は、シート本体１２に固定されたシート片３３の穴部３３ａに取り付けられた支持リング３４に取り付けられている。本変形例では、紐状部材３１が、取付リング３２等によりシート本体１２に取り付けられている。なお、取付リング３２と支持リング３４は、着脱自在であり、例えば外開きリング又は内開きリングなどを用いることができる。
【００４３】
図７を参照しながら、紐状部材３１を用いて液体重し部１４を第１筒状部２２ａに装着する作業方法について説明を行う。
【００４４】
図７（ａ）は、作業開始前の状態である。作業者は、図７（ｂ）に示すように、取付リング３２を支持リング３４から取り外し、液体重し部１４の一端のリング部材１４ｅに取付リング３２を取り付ける。次に、作業者は、図７（ｃ）に示すように、第１筒状部２２ａ内に紐状部材３１を通し、屋根の下にいる別の作業者に紐状部材３１の端を届かせる。そして、別の作業者が、紐状部材３１を引っ張ることで、液体重し部１４は第１筒状部２２ａに挿入されていく。次に、作業者は、図７（ｄ）に示すように、紐状部材３１及び取付リング３２を取り外すとともに、液体重し部１４の他端のリング部材１４ｅに支持リング３４を取り付ける。これにより、液体重し部１４は、支持リング３４及びシート片３３を介してシート本体１２に支持される。シート片３３及び支持リング３４は、液体重し部を支持するための支持部に相当する。
【００４５】
［６．その他の実施形態］
上述の実施形態において、屋根５の形状や面積に応じてシート本体１２の面積を調節することができるように、図８に示すように、頂部被覆部１２ａの下側に斜面被覆部１２ｂを折り込むことができるようにしてもよい。この場合、例えば、２つの屋根被覆部１２ｂの接続箇所に、頂部被覆部１２ａの一端が接続される。
【００４６】
上述の実施形態において、図９に示すように、１つの液体重し部１４に対して、複数の筒状部１２ｄをシート幅方向に間隔を空けて設けてもよい。これにより、シート幅方向において隣り合う筒状部１２ｄの間でシート本体１２を容易に折り曲げることが可能になり、シート本体１２のシート幅方向の長さを調節することができる。
【００４７】
上述の実施形態における第１液体重し部１４（筒状部１２ｄ）の配置について、例えば、斜面被覆部１２ｂにおけるシート長さ方向の中央部に第１液体重し部１４を配置してもよい。また、シート長さ方向又は斜め方向に沿って、第１液体重し部１４を配置してもよい。
【００４８】
上述の実施形態では、シート本体１２に対し液体重し部１４、１８を装着したが、シート本体１２自体に、液体重し部１４、１８として、液体を封入可能な袋を形成してもよい。
【００４９】
上述の実施形態において、液体重し部１４、１８に二重構造の容器を採用してもよい。
【００５０】
上述の実施形態において、図１０（ａ）及び（ｂ）に示すように、シート本体１２の外周より外側に、重し２３を取り付けてもよい。この場合、例えば、重し２３の取り付けに輪付きの紐状部材３５を使用する。複数の紐状部材３５が、シート本体１２の端部の複数の貫通孔１２ｃに取り付けられる。そして、屋根５に屋根補修シート１０を設置した状態で、複数の紐状部材３５の輪に重し２３を挿通して、重し２３を取り付ける。重し２３としては、液体を封入した液体重し部を用いることができる。
【００５１】
上述の実施形態において、端部が近くにある液体重し部１４，１８同士において、一方の液体重し部１４，１８の排出口１４ｂに、他方の液体重し部１４，１８の注入口１４ａを接続する接続管（ホースなど）を設けてもよい。これにより、屋根補修シート１０の設置時に、水道栓等から延びるホースの接続箇所（注入口１４ａ）を減らすことができる。この場合に、屋根補修シート１０全体においてホースの接続箇所が１〜２箇所となるように、又は、各斜面被覆部１２ｂ全体においてホースの接続箇所が１〜２箇所となるように、複数の液体重し部１４，１８を接続管により互いに接続してもよい。そして、例えば、ホースを接続する注入口１４ａが屋根５の頂部側となるように、複数の液体重し部１４，１８を接続管により互いに接続してもよい。
【産業上の利用可能性】
【００５２】
本発明は、屋根を補修するための屋根補修シート等に適用可能である。
【符号の説明】
【００５３】
１０      屋根補修シート
１２      シート本体
１２ｄ    筒状部
１４      第１液体重し部
１６      外側シート
１８      第２液体重し部
２０      帯状部材
【要約】
【課題】屋根の補修作業の労力を軽減させることができる屋根補修シートを提供する。
【解決手段】屋根を補修するための屋根補修シートは、屋根の上面を被覆するためのシート本体と、シート本体に設けられ、内部に液体を封入可能で、シート本体の重しとして機能する１つ又は複数の液体重し部とを備えている。
【選択図】図２【図１】
0006739853.tif 000002
【図２】
0006739853.tif 000003
【図３】
0006739853.tif 000004
【図４】
0006739853.tif 000005
【図５】
0006739853.tif 000006
【図６】
0006739853.tif 000007
【図７】
0006739853.tif 000008
【図８】
0006739853.tif 000009
【図９】
0006739853.tif 000010
【図１０】
0006739853.tif 000011